(57)【要約】【課題】、ジャンルに応じた色使いを提案することができる原稿分析装置を提供する。【解決手段】分析対象データの指定を受け付けると共に、ジャンルの指定を受け付けるジャンル受付部７１と、分析対象データを印刷する際に使用する各色成分のトナー量をそれぞれ算出し、各色のトナー量の割合を示すカラーカバレッジを算出する色使い算出部７４と、分析対象データで使用されている代表色として特定する代表色特定部７５と、指定されたジャンルの色使いを示すカラーカバレッジを目標カラーカバレッジとして収集し、代表色特定部７５によって特定された代表色に換えて使用することで、分析対象データのカラーカバレッジを目標カラーカバレッジに近づける提案色を生成する提案色生成部７６と、代表色と提案色とがレイアウトされた配色パターン表を有する分析レポートを生成する分析レポート生成部７７と、を備えている。【選択図】図２
2018174454.tif 000002
【特許請求の範囲】
【請求項１】
作画原稿の画像データを分析対象データとして解析して、前記作画原稿の色使いを分析する原稿分析装置であって、
前記分析対象データの指定を受け付けると共に、ジャンルの指定を受け付けるジャンル受付部と、
前記分析対象データを印刷する際に使用する各色成分のトナー量をそれぞれ算出し、各色のトナー量の割合を示すカラーカバレッジを算出する色使い算出部と、
前記分析対象データで使用されている代表色として特定する代表色特定部と、
指定されたジャンルの色使いを示すカラーカバレッジを目標カラーカバレッジとして収集し、前記代表色特定部によって特定された前記代表色に換えて使用することで、前記分析対象データのカラーカバレッジを前記目標カラーカバレッジに近づける提案色を生成する提案色生成部と、
前記代表色と前記提案色とがレイアウトされた配色パターン表を有する分析レポートを生成する分析レポート生成部と、を具備することを特徴とする原稿分析装置。
【請求項２】
前記提案色生成部は、前記目標カラーカバレッジを前記分析対象データのカラーカバレッジで色成分ごとに除算することで、各色成分の増減率を算出し、前記代表色の各色成分に算出した増減率を乗算することで前記提案色を生成することを特徴とする請求項１記載の原稿分析装置。
【請求項３】
前記提案色生成部は、前記目標カラーカバレッジを前記分析対象データのカラーカバレッジで色成分ごとに減算することで、各色成分の増減値を算出し、前記代表色の各色成分に算出した増減値を加減算することで前記提案色を生成することを特徴とする請求項１記載の原稿分析装置。
【請求項４】
前記分析レポート生成部は、前記分析対象データのカラーカバレッジと指定されたジャンルのカラーカバレッジとを比較する色使い比較表を有する前記分析レポートを生成することを特徴とする請求項１乃至３のいずれかに記載の原稿分析装置。
【請求項５】
前記分析対象データの枠組みに基づいて、前記分析対象データのコマ割り情報を検出するコマ検出部を具備し、
前記分析レポート生成部は、前記分析対象データのコマ割り情報と指定されたジャンルのコマ割りを示す指標データとを比較するコマ割り比較表を有する前記分析レポートを生成することを特徴とする請求項１乃至４のいずれかに記載の原稿分析装置。
【発明の詳細な説明】
【技術分野】
【０００１】
本発明は、漫画・劇画等の作画原稿を分析する原稿分析装置に関する。
【背景技術】
【０００２】
漫画・劇画等の作画原稿の作成を支援する各種の装置が提案されている。例えば、シナリオ、脚本、小説等の文章や、漫画のジャンル等を示す漫画識別子に応じて、コマ割を決定する装置が提案されている（例えば、特許文献１、２参照）。
【先行技術文献】
【特許文献】
【０００３】
【特許文献１】特開２００３−２０８６２９号公報
【特許文献２】特開２００８−８４３４８号公報
【発明の概要】
【発明が解決しようとする課題】
【０００４】
しかしながら、従来技術では、作画原稿の色使いについて考慮されていない。近年、店舗に設置された複合機等によって、カラーでの印刷環境が整ってきたため、カラーの同人誌が数多く出版されている。このような同人誌は、作者本人が発行することが多い。従って、作者は、自分の感性のみで色使いを決定していた。
【０００５】
本発明は、上記問題点を鑑みてなされたものであり、その目的とするところは、ジャンルに応じた色使いを提案することができる原稿分析装置を提供することを目的とする。
【課題を解決するための手段】
【０００６】
本発明の原稿分析装置は、作画原稿の画像データを分析対象データとして解析して、前記作画原稿の色使いを分析する原稿分析装置であって、前記分析対象データの指定を受け付けると共に、ジャンルの指定を受け付けるジャンル受付部と、前記分析対象データを印刷する際に使用する各色成分のトナー量をそれぞれ算出し、各色のトナー量の割合を示すカラーカバレッジを算出する色使い算出部と、前記分析対象データで使用されている代表色として特定する代表色特定部と、指定されたジャンルの色使いを示すカラーカバレッジを目標カラーカバレッジとして収集し、前記代表色特定部によって特定された前記代表色に換えて使用することで、前記分析対象データのカラーカバレッジを前記目標カラーカバレッジに近づける提案色を生成する提案色生成部と、前記代表色と前記提案色とがレイアウトされた配色パターン表を有する分析レポートを生成する分析レポート生成部と、を具備することを特徴とする。
さらに、本発明の原稿分析装置において、前記提案色生成部は、前記目標カラーカバレッジを前記分析対象データのカラーカバレッジで色成分ごとに除算することで、各色成分の増減率を算出し、前記代表色の各色成分に算出した増減率を乗算することで前記提案色を生成しても良い。
さらに、本発明の原稿分析装置において、前記提案色生成部は、前記目標カラーカバレッジを前記分析対象データのカラーカバレッジで色成分ごとに減算することで、各色成分の増減値を算出し、前記代表色の各色成分に算出した増減値を加減算することで前記提案色を生成しても良い。
さらに、本発明の原稿分析装置において、前記分析レポート生成部は、前記分析対象データのカラーカバレッジと指定されたジャンルのカラーカバレッジとを比較する色使い比較表を有する前記分析レポートを生成しても良い。
さらに、本発明の原稿分析装置において、前記分析対象データの枠組みに基づいて、前記分析対象データのコマ割り情報を検出するコマ検出部を具備し、前記分析レポート生成部は、前記分析対象データのコマ割り情報と指定されたジャンルのコマ割りを示す指標データとを比較するコマ割り比較表を有する前記分析レポートを生成すしても良い。
【発明の効果】
【０００７】
本発明によれば、分析対象データの代表色に換えて使用することで、分析対象データのカラーカバレッジを指定したジャンルのカラーカバレッジに近づける提案色を作者に提示することができ、ジャンルに応じた色使いを提案することができるという効果を奏する。
【図面の簡単な説明】
【０００８】
【図１】本発明に係る原稿分析装置の実施の形態の内部構成を示す概略模式断面図である。
【図２】図１に示す原稿分析装置の概略構成を示すブロック図である。
【図３】図２に示す色使い情報及びコマ割り情報の例を示す図である。
【図４】本発明に係る原稿分析装置の実施の形態による分析動作を説明するフローチャートである。
【図５】図２に示す分析レポート生成部によって生成される分析レポート例を示す図である。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の原稿分析装置１は、電子写真方式を利用した複写機やＭＦＰ（multi-functional product）等の画像形成装置であり、図１を参照すると、原稿読取部２と、原稿給送部３と、画像形成部４と、記録紙供給部５と、操作部６とを備えている。
【００１１】
原稿読取部２は、原稿台にセットされた原稿や原稿給送部３から給送される原稿に光を照射する光源と、原稿からの反射光を原稿の画像データに変換するＣＣＤ等の光電変換部とを備えている。原稿読取部２は、各画素がＲ（赤）、Ｇ（緑）、Ｂ（青）の色成分からなる画像データとして原稿を読み取る。
【００１２】
画像形成部４は、異なる４色Ｃ（シアン）、Ｍ（マゼンダ）、Ｙ（イエロー）、Ｋ（ブラック）の画像データにそれぞれ対応したＣ（シアン）、Ｍ（マゼンダ）、Ｙ（イエロー）、Ｋ（ブラック）のトナー像をそれぞれ形成し、形成したカラートナー像を記録紙供給部５から搬送されてくる記録紙に転写させ、記録紙に転写されたトナー像を所定の定着温度で定着させる。
【００１３】
操作部６は、タッチパネルや、スタートキー等の各種操作キーを備えたユーザーインターフェースである。
【００１４】
図２には、画像形成装置１の概略構成を示すブロック図が示されている。上述の原稿読取部２、原稿給送部３、画像形成部４、記録紙供給部５及び操作部６は、制御部７に接続され、制御部７によって動作制御される。また、制御部７には、画像処理部８と、記憶部９と、通信部１０とが接続されている。
【００１５】
画像処理部８は、画像データに対して所定の画像処理を行う手段であり、拡大縮小処理や、濃度調整、階調調整等の画像改善処理が行われる。また、画像処理部８は、フルカラー印刷を行う場合には、Ｒ（赤）、Ｇ（緑）、Ｂ（青）の色成分からなる画像データを、Ｃ（シアン）、Ｍ（マゼンダ）、Ｙ（イエロー）、Ｋ（ブラック）の色成分からなるＣＭＹＫ表色系に色空間変換する。
【００１６】
記憶部９は、半導体メモリーやＨＤＤ（Hard Disk Drive）等の記憶手段であり、原稿読取部２によって取得された画像データ、通信部１０を介して受信した画像データが記憶される。また、記憶部９には、色使い情報９１と、コマ割り情報９２とが記憶されている。なお、色使い情報９１及びコマ割り情報９２は、ネットワーク上のサーバー等に記憶させておくようにしても良い。
【００１７】
色使い情報９１は、ジャンル毎の色使いを示す指標データであり、図３（ａ）に示すように、Ｃ（シアン）、Ｍ（マゼンダ）、Ｙ（イエロー）、Ｋ（ブラック）の割合（印刷時に使用する各色のトナー量の割合）を示すカラーカバレッジがジャンル毎に設定されている。
【００１８】
コマ割り情報９２は、ジャンル毎のコマ割りを示す指標データであり、図３（ｂ）に示すように、１頁当たりのコマ数と、大きさ毎の１頁当たりのコマ数がジャンル毎に設定されている。
【００１９】
通信部１０は、インターネットやＬＡＮ等のネットワークを介して、パーソナルコンピュータ等の周辺機器や、他の画造形成装置との間で文書データや画像データ等の各種データを送受信する機能を有する。
【００２０】
制御部７は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。
【００２１】
制御部７のＣＰＵは、ＲＯＭに記憶されている制御プログラムを読み出し、制御プログラムをＲＡＭに展開させることで、操作部６から入力された所定の指示情報に応じて装置全体の制御を行う。また、制御部７は、ジャンル受付部７１、原稿解析部７２、コマ検出部７３、色使い算出部７４、代表色特定部７５、提案色生成部７６、分析レポート生成部７７として機能する。
【００２２】
次に、原稿分析装置１による作画原稿の分析動作について図４及び図５を参照して詳細に説明する。
原稿分析装置１による作画原稿の分析動作は、例えば、原稿分析装置１によって印刷を行う際のサービスの一環として実施される。
【００２３】
まず、制御部７は、ジャンル受付部７１として機能し、分析する作画原稿の画像データ（以下、分析対象データと称す）の指定を受け付ける（ステップＳ１０１）と共に、色使い情報９１及びコマ割り情報９２として設定されている複数のジャンルを操作部６に表示させ、作者が比較したいジャンルの指定を受け付ける（ステップＳ１０２）。
【００２４】
次に、制御部７は、原稿解析部７２として機能し、分析対象データを解析することで、色成分とコマ割りの枠組みとを抽出する（ステップＳ１０３）。
【００２５】
次に、制御部７は、コマ検出部７３として機能する。コマ検出部７３は、分析対象データのコマ割り情報として、原稿解析部７２によって抽出された枠組みに基づいて、コマ数をカウントすると共に、各コマの面積をそれぞれ算出する（ステップＳ１０４）。
【００２６】
次に、制御部７は、色使い算出部７４として機能し、分析対象データを印刷する際に使用する各色成分Ｃ（シアン）、Ｍ（マゼンダ）、Ｙ（イエロー）、Ｋ（ブラック）のトナー量をそれぞれ算出し、各色のトナー量の割合を示すカラーカバレッジを算出する（ステップＳ１０５）。
【００２７】
次に、制御部７は、代表色特定部７５として機能する。代表色特定部７５は、分析対象データで使用されている面積が広い色を代表色として特定する（ステップＳ１０６）。
【００２８】
なお、ＣＭＹＫ表色系において、色は（Ｃ０〜１００、Ｍ０〜１００、Ｙ０〜１００、Ｋ０〜１００）の色番号で表される。そこで、本実施の形態において、代表色特定部７５は、所定値（例えば、７５）を設定しておき、分析対象データを「Ｃ」が所定値以上をシアン系、「Ｍ」が所定値以上をマゼンダ系、「Ｙ」が所定値以上をイエロー係、「Ｋ」が所定値以上をブラック系として分類する。そして、代表色特定部７５は、シアン系、マゼンダ系、イエロー係、ブラック系のそれぞれで使用されている面積が広い色を代表色として特定する。
【００２９】
次に、制御部７は、提案色生成部７６として機能する。提案色生成部７６は、代表色特定部７５によって特定された代表色に換えて使用することで、色使い算出部７４によって算出されたカラーカバレッジを、ジャンル受付部７１によって指定を受け付けたジャンルのカラーカバレッジに近づける提案色を生成する（ステップＳ１０７）。提案色生成の方法については後述する。
【００３０】
次に、制御部７は、分析レポート生成部７７として機能する。分析レポート生成部７７は、図５に示すような、分析対象データのカラーカバレッジと指定されたジャンルのカラーカバレッジとを比較する色使い比較表１１と、分析対象データのコマ割り情報と指定されたジャンルのコマ割りとを比較するコマ割り比較表１２と、代表色特定部７５によって特定した代表色、提案色生成部７６によって生成された提案色がレイアウトされた配色パターン表１３とからなる分析レポートを生成する（ステップＳ１０８）。なお、図５には、ジャンルとして「スポーツ」と「ＳＦ」とが選択された例が示されている。
【００３１】
次に、制御部７は、ステップＳ１０８で生成した分析レポートを画像形成部４によって印刷して出力し（ステップＳ１０９）、分析動作を終了する。分析レポートにより、作者は、自身が作画した作画原稿の色使い及びコマ割りを、指定したジャンルの色使いやコマ割りと比較することができる。また、分析レポートにより、作者は、所望のジャンルに近づける色使いの認識することができる。
【００３２】
次に、提案色生成部７６による提案色生成動作について詳細に説明する。
まず、提案色生成部７６は、ジャンル受付部７１によって指定を受け付けたジャンルのカラーカバレッジを目標カラーカバレッジとして色使い情報９１から収集する。
【００３３】
次に、提案色生成部７６は、目標カラーカバレッジを色使い算出部７４によって算出されたカラーカバレッジで色成分ごとに除算することで、各色成分の増減率を算出する。図５に示す例では、ジャンル「スポーツ」に対する増減率は、Ｃ（シアン）:２５／３２、Ｍ（マゼンダ）：２５／１９、Ｙ（イエロー）：２５／２０、Ｋ（ブラック）２５／２９となり、ジャンル「ＳＦ」に対する増減率は、Ｃ（シアン）:２０／３２、Ｍ（マゼンダ）：１０／１９、Ｙ（イエロー）：１０／２０、Ｋ（ブラック）６０／２９となる。
【００３４】
そして、提案色生成部７６は、代表色特定部７５によって特定された代表色の各色成分に、算出した増減率を乗算することで、提案色を生成する。なお、各色成分の上限は１００であるため、１００を超えた値は切り捨てられる。また、図５において、色パターンに添え書きされている色番号の上段は、ＣＭＹＫ表色系であり、下段は、ＲＧＢ表色系である。
【００３５】
なお、提案色生成部７６は、目標カラーカバレッジを色使い算出部７４によって算出されたカラーカバレッジで色成分ごとに減算することで、各色成分の増減値を算出し、代表色特定部７５によって特定された代表色の各色成分に、算出した増減値を加減算して提案色を生成するようにしても良い。
【００３６】
以上説明したように、本実施の形態によれば、作画原稿の画像データを分析対象データとして解析して、作画原稿の色使いを分析する原稿分析装置１であって、分析対象データの指定を受け付けると共に、ジャンルの指定を受け付けるジャンル受付部７１と、分析対象データを印刷する際に使用する各色成分のトナー量をそれぞれ算出し、各色のトナー量の割合を示すカラーカバレッジを算出する色使い算出部７４と、分析対象データで使用されている代表色として特定する代表色特定部７５と、指定されたジャンルの色使いを示すカラーカバレッジを目標カラーカバレッジとして収集し、代表色特定部７５によって特定された代表色に換えて使用することで、分析対象データのカラーカバレッジを目標カラーカバレッジに近づける提案色を生成する提案色生成部７６と、代表色と提案色とがレイアウトされた配色パターン表１３を有する分析レポートを生成する分析レポート生成部７７と、を備えている。
この構成により、分析対象データの代表色に換えて使用することで、分析対象データのカラーカバレッジを指定したジャンルのカラーカバレッジに近づける提案色を作者に提示することができ、ジャンルに応じた色使いを提案することができる。
【００３７】
さらに、本実施の形態において、提案色生成部７６は、目標カラーカバレッジを分析対象データのカラーカバレッジで色成分ごとに除算することで、各色成分の増減率を算出し、代表色の各色成分に算出した増減率を乗算することで提案色を生成する。
この構成により、簡単な計算で提案色を生成することができる。
【００３８】
さらに、本実施の形態において、提案色生成部７６は、目標カラーカバレッジを分析対象データのカラーカバレッジで色成分ごとに減算することで、各色成分の増減値を算出し、代表色の各色成分に算出した増減値を加減算する。
この構成により、簡単な計算で提案色を生成することができる。
【００３９】
さらに、本実施の形態において、分析レポート生成部７７は、分析対象データのカラーカバレッジと指定されたジャンルのカラーカバレッジとを比較する色使い比較表１１を有する分析レポートを生成する。
この構成により、指定したジャンルの色使いの違いを数値として比較提示することができる。
【００４０】
さらに、本実施の形態において、分析対象データの枠組みに基づいて、分析対象データのコマ割り情報を検出するコマ検出部７３を具備し、分析レポート生成部７７は、分析対象データのコマ割り情報と指定されたジャンルのコマ割りを示す指標データとを比較するコマ割り比較表１２を有する分析レポートを生成する。
この構成により、指定したジャンルのコマ割りの違いを数値として比較提示することができる。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４２】
１  原稿分析装置
２  原稿読取部
３  原稿給送部
４  画像形成部
５  記録紙供給部
６  操作部
７  制御部
８  画像処理部
９  記憶部
１０  通信部
１１  色使い比較表
１２  コマ割り比較表
１３  配色パターン表
７１  ジャンル受付部
７２  原稿解析部
７３  コマ検出部
７４  色使い算出部
７５  代表色特定部
７６  提案色生成部
７７  分析レポート生成部
９１  色使い情報
９２  コマ割り情報
【図１】
2018174454.tif 000003
【図２】
2018174454.tif 000004
【図３】
2018174454.tif 000005
【図４】
2018174454.tif 000006
【図５】
2018174454.tif 000007